(57)【要約】【課題】自動清掃が可能なフィルター装置を備えた空気調和機を提供する。【解決手段】熱交換器９と、送風機１０と、熱交換器９の上流側に配されたフィルター装置１を備え、フィルター装置１は、少なくとも一対の巻取軸８間に張設されたエアフィルター４と、巻取軸８を駆動するフィルター巻取駆動モーター７と、エアフィルター４の風上側に配され、水平方向に長手方向を持ちエアフィルター４に付着した塵埃を吸込む吸入ノズル３と、吸入ノズル３により吸込まれた塵埃を吸込み、かつ屋外に排出する吸引排気装置５とを設け、吸入ノズル３を送風機１０より上側に配設したもので、吸入ノズル３が吸い込み抵抗にならない所に配置されているので、簡単な構成で、空気調和機の基本性能を損なうことなく、また、集塵した埃を室内部屋に飛散させることなくエアフィルター４の自動清掃を行うことができる。【選択図】図２
2008170078.tif 000002
【特許請求の範囲】
【請求項１】
熱交換器と、送風機と、前記熱交換器の上流側に配されたフィルター装置とを備え、前記フィルター装置は、少なくとも一対の巻取軸間に張設されたエアフィルターと、前記巻取軸を駆動するフィルター巻取駆動モーターと、前記エアフィルターの風上側に配され、水平方向に長手方向を持ち前記エアフィルターに付着した塵埃を吸込む吸入ノズルと、前記吸入ノズルにより吸込まれた塵埃を吸込み、かつ屋外に排出する吸引排気装置とを設け、前記吸入ノズルを前記送風機より上側に配設したことを特徴とする空気調和機。
【請求項２】
吸入ノズル内に前記吸入ノズルの長手方向に巻回され移動するフィルムを有し、前記フィルムは、前記エアフィルターの塵埃を掻き取る埃掻き取りパットと、前記埃掻き取りパットで掻き取った塵埃を吸込む吸入口とを具備し、前記エアフィルターの一部は、地面に対し略垂直なる面を持ち、前記面に対向して前記吸入ノズルを配設したことを特徴とする請求項１に記載の空気調和機。
【請求項３】
埃掻き取りパットの形状を、フィルムの移動方向と略直角をなす方向に長辺を有する長方形としたことを特徴とする請求項２に記載の空気調和機。
【請求項４】
吸入口の形状を、フィルムの移動方向と略直角をなす方向に長辺を有する長方形としたことを特徴とする請求項２又は３に記載の空気調和機。
【請求項５】
吸引排気装置を、吸入ノズルの端部に配設したことを特徴とする請求項１〜４のいずれか１項に記載の空気調和機。
【請求項６】
室内ユニットと、前記室内ユニットと接続配管を介して接続された室外ユニットからなり、吸引排気装置と屋外を連通する排気ノズルを具備し、前記排気ノズルと、前記接続配管を前記室内ユニットの同一面から延出させたことを特徴とする請求項１〜５のいずれか１項に記載の空気調和機。
【発明の詳細な説明】
【技術分野】
【０００１】
本発明は、空気調和機に関するもので、特に、エアフィルターの清掃を自動的に行うようにした空気調和機に関するものである。
【背景技術】
【０００２】
従来の空気調和機として、特に、下から空気を吸い込む天井埋め込み型の空気調和機は、図５に示すように熱交換器１０９の下方に、空気調和機の本体内部へ塵埃が侵入することを防ぐためのエアフィルター１０４が設けられており、このエアフィルター１０４は、付着した塵埃を手で清掃できるように着脱自在に構成されている。
【０００３】
１１１は、空気調和機本体で、１１０は、送風機で、１２０は、空気調和機本体１１１に接続される吸い込みパネルで、部屋の空気は、室内空気吸込口１２２から矢印１２１ａの方向に吸い込まれ、エアフィルター１０４、熱交換器１０９を通過して送風機１１０から室内へ矢印１２１ｂの方向へ吹き出される。
【０００４】
このように構成された従来の空気調和機は、頻繁なメンテナンスが必要となるだけでなく、メンテナンスが行われるまでの間にはエアフィルター１０４が徐々に目詰まりしていき、その結果、熱交換器１０９を通過する風量が低下し、空調能力が低下して消費電力の増大につながることとなる。さらに天井埋め込み型の空気調和機のエアフィルター１０４は、天井の高い位置にあるため、メンテナンスがしにくく、清掃を怠りやすい傾向にある。
【０００５】
このため、エアフィルター１０４のメンテナンスの手間を低減する目的で、エアフィルターに付着した塵埃を落とすために、フィルターを回転させブラシで埃を落とし、埃をためるようにした空気調和機が提案されている（例えば、特許文献１参照）。
【０００６】
また、エアフィルターに付着した塵埃を、吸入部のある吸引ダクトが移動してフィルターの下から吸い取るようにした空気調和機もある（例えば、特許文献１参照）。
【特許文献１】実開昭６３−１０４９１３号公報
【特許文献２】特開２００２−３４０５０７号公報
【発明の開示】
【発明が解決しようとする課題】
【０００７】
しかしながら、上記特許文献１に記載された従来の空気調和機の構成では、フィルターに付着した塵埃をブラシで掻き落として受け皿に入れるため、埃が部屋の空気中に飛散してしまうという問題があり、また、数日後に埃を使用者が廃棄するという作業が必要になり、フィルターの自動清掃になっておらず、受け皿にたまった埃の廃棄作業を行う必要がありメンテナンスがなくなるわけではないという課題がある。
【０００８】
また、特許文献２に記載された従来の空気調和機の構成では、フィルターに付着した塵埃をフィルターの下方から吸い込み部のある吸い込みノズルで吸い取るので、一部の埃は、吸い込み部に吸われることなく落下するという課題があった。また塵埃を吸い取る吸込みノズルが吸い込み空気の抵抗になり、吸い込み風量が低下することから、空気調和機の本来の基本性能を低下させるという課題があった。
【０００９】
本発明は、上記従来の課題を解決するもので、エアフィルターに付着した塵埃の自動清掃を簡素な構造でかつ、少ない吸い込み風量で可能にし、フィルター清掃中に集塵した埃
を室内部屋に飛散させることもなく、空気調和機の基本性能を損なわず、低騒音でフィルターの自動清掃を実現できる空気調和機を提供することを目的とする。
【課題を解決するための手段】
【００１０】
前記従来の課題を解決するために、本発明の空気調和機は、熱交換器と、送風機と、前記熱交換器の上流側に配されたフィルター装置を備え、前記フィルター装置は、少なくとも一対の巻取軸間に張設されたエアフィルターと、前記巻取軸を駆動するフィルター巻取駆動モーターと、前記エアフィルターの風上側に配され、水平方向に長手方向を持ち前記エアフィルターに付着した塵埃を吸込む吸入ノズルと、前記吸入ノズルにより吸込まれた塵埃を吸込み、かつ屋外に排出する吸引排気装置とを設け、前記吸入ノズルを前記送風機より上側に配設したもので、エアフィルターに付着した塵埃の自動清掃を簡素な構造で構成できてかつ、エアフィルター清掃中に集塵した埃を室内部屋に飛散させることもなく、また、吸入ノズルが吸い込み抵抗にならないところに配置されているので、空気調和機の基本性能を損なわず、エアフィルターの自動清掃を実現できる。
【発明の効果】
【００１１】
本発明のフィルター装置は、エアフィルターに付着した塵埃の自動清掃を簡素な構造でかつ、少ない吸い込み風量で可能にし、フィルター清掃中に集塵した埃を室内部屋に飛散させることもなく、空気調和機の基本性能を損なわず、低騒音でフィルターの自動清掃を実現できるという効果がある。
【発明を実施するための最良の形態】
【００１２】
第１の発明は、熱交換器と、送風機と、前記熱交換器の上流側に配されたフィルター装置を備え、前記フィルター装置は、少なくとも一対の巻取軸間に張設されたエアフィルターと、前記巻取軸を駆動するフィルター巻取駆動モーターと、前記エアフィルターの風上側に配され、水平方向に長手方向を持ち前記エアフィルターに付着した塵埃を吸込む吸入ノズルと、前記吸入ノズルにより吸込まれた塵埃を吸込み、かつ屋外に排出する吸引排気装置とを設け、前記吸入ノズルを前記送風機より上側に配設したもので、エアフィルターに付着した塵埃の自動清掃を簡素な構造で構成できてかつ、エアフィルター清掃中に集塵した埃を室内部屋に飛散させることもなく、また、吸入ノズルが吸い込み抵抗にならないところに配置されているので、空気調和機の基本性能を損なわず、エアフィルターの自動清掃を実現できる。
【００１３】
第２の発明は、特に、第１の発明の吸入ノズル内に前記吸入ノズルの長手方向に巻回され移動するフィルムを有し、前記フィルムは、前記エアフィルターの塵埃を掻き取る埃掻き取りパットと、前記埃掻き取りパットで掻き取った塵埃を吸込む吸入口とを具備し、前記エアフィルターの一部は、地面に対し略垂直なる面を持ち、前記面に対向して前記吸入ノズルを配設したもので、フィルターに付着した埃を掻き取りながら吸い込みそして排気できる為、少ない風量でも確実に埃が取れ、かつ低騒音で運転できる。
【００１４】
第３の発明は、特に、第２の発明の埃掻き取りパットの形状を、フィルムの移動方向と略直角をなす方向に長辺を有する長方形としたもので、掻き取り面積を最大に確保できエアフィルターに付着した塵埃を確実に掻き取り、吸込む効果が得られる。
【００１５】
第４の発明は、特に、第２又は第３の発明の吸入口の形状を、フィルムの移動方向と略直角をなす方向に長辺を有する長方形としたもので、吸引面積を最大に確保できエアフィルターに付着した塵埃を確実に吸込む効果が得られる。
【００１６】
第５の発明は、特に、第１〜４のいずれか一つの発明の吸引排気装置を、吸入ノズルの端部に配設したもので、簡素な構成で圧力損失が抑制され、少ない吸入風量によって塵埃
を確実に吸い込む効果が得られる。さらに動作音を小さく抑えられる効果が得られる。
【００１７】
第６の発明は、特に、第１〜５のいずれか一つの発明の室内ユニットと、前記室内ユニットと接続配管を介して接続された室外ユニットからなり、吸引排気装置と屋外を連通する排気ノズルを具備し、前記排気ノズルと、前記接続配管を前記室内ユニットの同一面から延出させたもので、室内ユニットの配管接続作業を行なう同じスペースで、埃を屋外へ排出する排気ノズルの接続ができる為、作業が簡単になると共に、新たな天井開口を設ける必要もなくなり、インテリア性も向上する。
【００１８】
以下、本発明の実施の形態について、図面を参照しながら説明する。なお、この実施の形態によって本発明が限定されるものではない。
【００１９】
（実施の形態１）
図１は、本発明の実施の形態１における空気調和機の断面図、図２は、同空気調和機の吸引排気装置のある側面からみた外観図、図３は、同空気調和機本発明のフィルター装置の斜視図、図４は、同空気調和機の本体前板を外したときの正面図である。
【００２０】
図１〜図４において、本実施の形態における空気調和機は、天井埋め込み型の室内ユニットとなる本体１１と、屋外に設置され本体１１と接続配管２３を介して接続された室外ユニット（図示せず）から構成され、本体１１の内部には、熱交換機９と、送風機１０が配設されており、本体１１の下面に吸い込みパネル２０が接続され、吸い込みパネル２０に形成された複数の室内空気吸込口２２から、送風機１０の動作により空気が吸込まれ（矢印２１ａ）、室内へ吹出される（矢印２１ｂ）。このとき空気中に漂う塵埃は、前記室内空気吸入口２２と熱交換器９との間に設けたフィルター装置１で取り除かれる。
【００２１】
このフィルター装置１は、フィルター枠２と、帯状のエアフィルター４と、前記エアフィルター４の風上側に設けられ、水平方向に長手方向を持ち前記エアフィルター４に付着した塵埃を吸い込む吸入ノズル３と、吸入ノズル３の端部に設けられ前記吸入ノズル３に吸込まれた塵埃を吸込み排出する吸引排気装置５を具備している。また、フィルター枠２の両端には、フィルター巻取駆動モーター７と、フィルター巻取駆動モーター７で回転駆動される一対の巻取軸８を配設している。
【００２２】
前記吸入ノズル３には、吸入ノズル３の長手方向に巻き回され、フィルム駆動モーター６で移動されるフィルム３ｃを内蔵し、フィルム３ｃには、フィルム３ｃの移動方向と略直角をなす方向に長辺を有する長方形の形状を有する吸入口３ａとフィルム３ｃの移動向と略直角をなす方向に長辺を有する長方形の形状を有する埃掻き取りパット３ｂを設け、左右方向に移動可能にしたものである。
【００２３】
エアフィルター４の一部は、図３に示すように、地面に対し略垂直なる面を持ち、面に対向して吸入ノズル３が配設されている。
【００２４】
１２は、吸引排気装置５の排気側に接続された排気ノズルで、延長排気ノズル１３を介して屋外と連通している。なお、本実施の形態では、排気ノズル１２と、接続配管２３は、本体１１の同一面から延出している。
【００２５】
以上のように構成された本実施の形態における空気調和機の動作について説明する。
【００２６】
本体１１の運転停止後に吸引排気装置５が運転開始し、同時にフィルム駆動モーター６が駆動してフィルム３ｃが移動することにより、エアフィルター４の片側端に位置していた吸入口３ａ及び埃掻き取りパット３ｂが、図３に示すように矢印Ａ方向に移動し、エア
フィルター４の前部表面に付着した塵埃を掻き取りながら吸入口３ａから吸取り、塵埃は吸引排気装置５に吸入される。そして、吸入口３ａが、対向する片側端まで移動したときにフィルム駆動モーター６を逆回転させれば、吸入口３ａは初期の位置に戻る。
【００２７】
ここで、フィルター巻取駆動モーター７が駆動し、巻取軸８によりエアフィルター４を巻き回し、埃の付着した部分を吸入口３ａに位置させ再びフィルム駆動モーター７により吸入口３ａ及び埃掻き取りパット３ｂが、図３に示すようにＡの矢印方向に移動する。再び、吸入口３ａが、対向する片側端まで移動したときにフィルム駆動モーター６を逆回転させ、吸入口３ａは初期の位置に戻る。以上の動作を繰り返すことにより、エアフィルター４の全面を自動で清掃することが可能となる。
【００２８】
また、本実施の形態では、図１に示すように、吸入ノズル３を送風機１０より上側、すなわち空気の流速が比較的小さい位置に配置しているので、熱交換機９を通過する空気の通気抵抗を少なく抑えられ、空気調和機の基本性能を損なうことなくエアフィルター４の自動清掃を実現できる。
【００２９】
また、吸引排気装置５を、吸入ノズル３の端部に設けているので、吸引ノズル３のメンテナンスが行いやすく、排気ノズル１２の引き廻し自由度も出てくる。また、排気ノズル１２を本体１１に収納する場合は、風回路の構成上発生するスペースを利用して、送風機１０より上を通すことも可能である。
【００３０】
また、吸引排気装置５の排気側が、排気ノズル１２と延長排気ノズル１３を介して、屋外と連通しているので、吸引排気装置５で吸引された塵埃は、屋外に自動的に排出され、塵埃廃棄作業が不要となり、メンテナンスが容易である。また、排気ノズル１２と接続配管２３が、本体１１の同一面から延出しているので、排気ノズル１２と延長排気ノズル１３との接続作業と、接続配管２３の接続作業が同じスペースで出来るようになり、設置工事が容易である。
【産業上の利用可能性】
【００３１】
以上のように、本発明にかかる空気調和機は、簡素な構成でかつ少ない吸込み風量により、エアフィルターに付着した塵埃を自動で清掃することが可能となるので、空気調和機に限らず空気清浄機など塵埃を集塵するエアフィルターを装着した各種機器に適用できる。
【図面の簡単な説明】
【００３２】
【図１】本発明の実施の形態１における空気調和機の断面図
【図２】同空気調和機の吸引排気装置のある側面からみた外観図
【図３】同空気調和機のフィルター装置の斜視図
【図４】同空気調和機の本体前板を外したときの正面図
【図５】従来の天井埋め込み型の空気調和機の断面図
【符号の説明】
【００３３】
１  フィルター装置
３  吸入ノズル
４  エアフィルター
５  吸引排気装置
６  フィルム駆動モーター
７  フィルター巻取り駆動モーター
８  巻取軸
９  熱交換器
１０  送風機
１１  本体（室内ユニット）
【図１】
2008170078.tif 000003
【図２】
2008170078.tif 000004
【図３】
2008170078.tif 000005
【図４】
2008170078.tif 000006
【図５】
2008170078.tif 000007